(57)【要約】【課題】再生光学系による解像限界よりも小さいサイズの記録マークが形成されている光記録媒体に、再生波長のレーザ光のパワーを大幅に増大させることなく照射して、超解像再生を達成する。【解決手段】光記録再生システム１０は、再生波長のレーザ光による解像限界よりも小さいサイズの記録マークが形成されている光記録媒体１２と、解像限界よりも大きい記録マークの識別に必要な通常の再生パワーの再生波長のレーザ光を照射し、その反射光を受光する再生用受光センサを含む再生光学系１６と、再生波長と異なる波長の加熱レーザ光を再生波長のレーザ光による照射領域１８の内側であって、これよりも小さい面積の加熱領域２０に導く加熱光学系２２とを配置して構成したものである。【選択図】図１
2006260657.tif 000002
【特許請求の範囲】
【請求項１】
再生光学系による解像限界よりも小さいサイズの記録マークが形成されている光記録媒体に、前記再生光学系から再生波長のレーザ光を照射して、前記記録マークを識別する光記録再生方法であって、
前記再生波長のレーザ光を前記光記録媒体に照射するとともに、前記再生波長のレーザ光による照射領域の一部又は全部と重複する加熱領域を、前記再生波長のレーザ光とは異なる熱源により、前記再生波長のレーザ光による照射タイミングに関連したタイミングで加熱することを特徴とする光記録再生方法。
【請求項２】
請求項１において、
前記再生波長のレーザ光の照射パワーを、前記解像限界よりも小さいサイズの記録マークの識別可能程度に設定することを特徴とする光記録再生方法。
【請求項３】
再生光学系による解像限界よりも小さいサイズの記録マークが形成されている光記録媒体に、前記再生光学系から再生波長のレーザ光を照射して、前記記録マークを識別する光記録再生方法であって、
前記光記録媒体における、前記再生波長のレーザ光による照射領域の一部又は全部と重複する加熱領域を、前記再生波長のレーザ光とは異なる熱源により、前記再生波長のレーザ光による照射タイミングに関連したタイミングで加熱し、前記解像限界以下のサイズの記録マークの識別可能となるように、前記再生波長のレーザ光の照射パワー及び、前記レーザ光による加熱の設定を行うことを特徴とする光記録再生方法。
【請求項４】
請求項１乃至３のいずれかにおいて、
前記熱源は、前記再生波長と異なる波長の加熱用レーザ光であり、この加熱用レーザ光を、前記光記録媒体に対して、前記再生波長のレーザ光を同じ側及び反対側の少なくとも一方から前記加熱用レーザ光を照射して、前記加熱領域を加熱することを特徴とする光記録再生方法。
【請求項５】
請求項４において、
前記加熱用レーザ光を、前記再生光学系を通って、前記加熱領域に照射することを特徴とする光記録再生方法。
【請求項６】
請求項５において、
前記再生波長のレーザ光および加熱用レーザ光は、一定帯域幅の波長のレーザ光を出射する同一のレーザ光源から得られるものであり、前記再生波長及び加熱用レーザ光の波長は前記一定帯域幅に含まれることを特徴とする光記録再生方法。
【請求項７】
請求項１乃至３のいずれかにおいて、
前記熱源は、前記再生波長と異なる波長及び同一波長の少なくとも一方の波長の加熱用レーザ光であり、この加熱用レーザ光を、前記光記録媒体に対して、前記再生波長のレーザ光と反対側から、前記加熱用レーザ光を照射して、前記加熱領域を加熱することを特徴とする光記録再生方法。
【請求項８】
請求項１乃至３のいずれかにおいて、
前記熱源は、前記再生波長と同一の波長の加熱用レーザ光であり、この加熱用レーザ光を、前記光記録媒体に対して、前記再生波長のレーザ光と同一側から、且つ、光記録媒体での反射光の光軸が、前記再生用受光センサの入射光軸からずれるように照射して、前記加熱領域を加熱することを特徴とする光記録再生方法。
【請求項９】
請求項８において、
前記再生光学系に接続された分岐光学系により、前記再生波長のレーザ光の一部を分岐して、前記加熱用レーザ光とすることを特徴とする光記録再生方法。
【請求項１０】
請求項４乃至７のいずれかにおいて、
前記加熱用レーザ光の波長は、前記再生波長のレーザ光よりも短くされたことを特徴とする光記録再生方法。
【請求項１１】
請求項４乃至１０のいずれかにおいて、
前記加熱用レーザ光の加熱領域を、前記照射領域の内側で、且つ、これよりも小さな面積となるようにしたことを特徴とする光記録再生方法。
【請求項１２】
再生波長のレーザ光による解像限界よりも小さいサイズの記録マークが形成されている光記録媒体での、前記解像限界よりも大きい記録マークの識別に必要な通常の再生パワーで、且つ、再生波長のレーザ光を照射し、且つ、その反射光を受光する再生用受光センサを含む再生光学系と、
前記光記録媒体における前記再生波長のレーザ光による照射領域の一部又は全部と重複する加熱領域を、前記再生波長のレーザ光による照射タイミングに関連するタイミングで加熱する加熱系と、
を有することを特徴とする光記録再生システム。
【請求項１３】
請求項１２において、
前記加熱系は、前記再生波長と異なる波長の加熱用レーザ光を、前記照射領域に導く加熱光学系であり、この加熱光学系は、前記光記録媒体に対して、前記再生光学系と同一側及び反対側の少なくとも一方から加熱用レーザ光を照射するように構成されたことを特徴とする光記録再生システム。
【請求項１４】
請求項１３において、
前記加熱光学系は、前記再生光学系の少なくとも一部を共用する構成であることを特徴とする光記録再生システム。
【請求項１５】
請求項１４において、
前記再生波長のレーザ光及び加熱用レーザ光を出射する単一のレーザ光源を設け、前記受光センサは、前記再生波長のレーザ光の反射光のみを受光するようにされたことを特徴とする光記録再生システム。
【請求項１６】
請求項１２において、
前記加熱系は、前記再生波長と同一及び異なる波長の少なくとも一方の加熱用レーザ光を、前記光記録媒体に対して、前記再生光学系と反対側から照射して、前記照射領域を加熱する加熱光学系であることを特徴とする光記録再生システム。
【請求項１７】
請求項１２において、
前記加熱系は、前記再生波長と同一波長の加熱用レーザ光を前記照射領域に照射する加熱光学系であり、この加熱光学系は、前記光記録媒体に対して、前記再生光学系と同一側から加熱用レーザ光を照射し、且つ、前記光記録媒体での反射光の光学が、前記再生用受光センサの入射光軸からずれるように設定されていることを特徴とする光記録再生システム。
【請求項１８】
請求項１７において、
前記加熱光学系は、前記再生光学系に接続され、前記再生波長のレーザ光の一部を分岐して、前記加熱用レーザ光とする分岐光学系から構成されていることを特徴とする光記録再生システム。
【請求項１９】
請求項１３乃至１６のいずれかにおいて、
前記加熱用レーザ光の波長は、前記再生波長よりも短くされたことを特徴とする光記録再生システム。
【請求項２０】
請求項１３乃至１９のいずれかにおいて、
前記加熱光学系は、その加熱領域が、前記照射領域の内側で、且つ、これよりも小さくなるように構成されたことを特徴とする光記録再生システム。
【発明の詳細な説明】
【技術分野】
【０００１】
本発明は、記録再生光学系における解像限界よりも小さい記録マークの形成、再生が可能な光記録再生方法及び光記録再生システムに関する。
【背景技術】
【０００２】
近年、例えば特許文献１に記載されるように、記録再生光学系における回折限界よりも小さい記録マーク列の形成、再生が可能な超解像光記録再生システムが提案されている。
【０００３】
この超解像光記録再生システムでは、光学系の解像限界を超えた微小記録マーク（超解像記録マーク）の記録、再生が可能であるが、その原理は未だ明確ではない。
【０００４】
一般的に、光を用いた再生方法では、ある記録マーク列周期以下の周期の記録マーク列は読みとりが不可能になる。この記録マーク列周期の長さを回折限界という。波長λ、開口数ＮＡの再生光学系では、回折限界はλ／ＮＡ／２で与えられ、一周期の中で記録マーク部とブランク部の長さが同一だとすると、記録マーク長はλ／ＮＡ／４で与えられる。この記録マーク長を解像限界という。
【０００５】
上記のような超解像光記録再生システムにおいては、従来の光記録再生システムで用いられているような程度の照射パワー（通常再生パワー）の再生用レーザ光では、超解像記録マークを識別することができず、再生用レーザ光の照射パワーを増大する（高再生パワー）ことによって識別が可能である。しかしながら、この超解像光記録再生システムでは、再生用レーザ光の照射パワーを増大することにより、回折限界よりも低周波数側のノイズが増大するため、超解像はするものの，超解像マークの再生信号品質が高くないという問題点を有する。
【０００６】
なぜならば、従来の光記録再生システムでは、再生光学系及び再生回路から見た場合、光記録媒体は解像限界の周波数をカットオフ周波数とする一種のローパスフィルタと考えることができ，従って、再生用レーザ光の照射パワーを増大すれば、再生信号中におけるカットオフ周波数以下のノイズ成分もリニアに増大することになるからである。
【０００７】
即ち、再生用レーザ光の照射パワー（再生パワー）が増大して、超解像記録マークに由来するキャリア成分が発現した際には、同時にカット周波数より小さいノイズ成分も再生パワーに応じてリニアに増大する。他方、カットオフ周波数より大きいノイズ成分は、再生パワーに応じて大きく変化しない（少なくともリニアに変化しない）ため、キャリアレベルとキャリア周波数近傍のノイズレベルの差であるＣＮＲは大きいが、キャリアレベルと全ノイズレベルの比であるＳＮＲはあまり大きくならない。
【０００８】
【特許文献１】特開２００３−６８７２号公報
【発明の開示】
【発明が解決しようとする課題】
【０００９】
この発明は、再生用レーザ光の照射パワーを増大することなく、超解像再生をすることができるようにした光記録再生方法及び光記録再生システムを提供することを課題とする。
【課題を解決するための手段】
【００１０】
本発明者は、研究の結果、超解像再生の際に、再生用レーザ光によって照射される領域を、同時に加熱することによって、再生用レーザ光の照射パワーを増大することなく、従って、再生信号に大きなノイズを発生させることなく、超解像記録マークを識別することができることを見出した。
【００１１】
即ち、以下の本発明により上記課題を解決するものである。
【００１２】
（１）再生光学系による解像限界よりも小さいサイズの記録マークが形成されている光記録媒体に、前記再生光学系から再生波長のレーザ光を照射して、前記記録マークを識別する光記録再生方法であって、前記再生波長のレーザ光を、前記光記録媒体に照射するとともに、前記再生波長のレーザ光による照射領域の一部又は全部と重複する加熱領域を、前記再生波長のレーザ光とは異なる熱源により、前記再生波長のレーザ光による照射タイミングに関連したタイミングで加熱することを特徴とする光記録再生方法。
【００１３】
（２）前記再生波長のレーザ光の照射パワーを、前記解像限界よりも小さいサイズの記録マークの識別可能程度に設定することを特徴とする光記録再生方法。
【００１４】
（３）前記再生光学系による解像限界よりも小さいサイズの記録マークが形成されている光記録媒体に、前記再生光学系から再生波長のレーザ光を照射して、前記記録マークを識別する光記録再生方法であって、前記光記録媒体における、前記再生波長のレーザ光による照射領域の一部又は全部と重複する加熱領域を、前記再生波長のレーザ光とは異なる熱源により、前記再生波長のレーザ光による照射タイミングに関連したタイミングで加熱し、前記解像限界以下のサイズの記録マークの識別可能となるように、前記再生波長のレーザ光の照射パワー及び前記レーザ光による加熱の設定を行うことを特徴とする光記録再生方法。
【００１５】
（４）前記熱源は、前記再生波長と異なる波長の加熱用レーザ光であり、この加熱用レーザ光を、前記光記録媒体に対して、前記再生波長のレーザ光を同じ側及び反対側の少なくとも一方から前記加熱用レーザ光を照射して、前記加熱領域を加熱することを特徴とする（１）乃至（３）のいずれかに記載の光記録再生方法。
【００１６】
（５）前記加熱用レーザ光を、前記再生光学系を通って、前記加熱領域に照射することを特徴とする（４）に記載の光記録再生方法。
【００１７】
（６）前記再生波長のレーザ光および加熱用レーザ光は、一定帯域幅の波長のレーザ光を出射する同一のレーザ光源から得られるものであり、前記再生波長及び加熱用レーザ光の波長は前記一定帯域幅に含まれることを特徴とする（５）に記載の光記録再生方法。
【００１８】
（７）前記熱源は、前記再生波長と異なる波長及び同一波長の少なくとも一方の波長の加熱用レーザ光であり、この加熱用レーザ光を、前記光記録媒体に対して、前記再生波長のレーザ光と反対側から、前記加熱用レーザ光を照射して、前記加熱領域を加熱することを特徴とする（１）乃至（３）のいずれかに記載の光記録再生方法。
【００１９】
（８）前記熱源は、前記再生波長と同一の波長の加熱用レーザ光であり、この加熱用レーザ光を、前記光記録媒体に対して、前記再生波長のレーザ光と同一側から、且つ、光記録媒体での反射光の光軸が、前記再生用受光センサの入射光軸からずれるように照射して、前記加熱領域を加熱することを特徴とする（１）乃至（３）のいずれかに記載の光記録再生方法。
【００２０】
（９）前記再生光学系に接続された分岐光学系により、前記再生波長のレーザ光の一部を分岐して、前記加熱用レーザ光とすることを特徴とする（８）に記載の光記録再生方法。
【００２１】
（１０）前記加熱用レーザ光の波長は、前記再生波長のレーザ光よりも短くされたことを特徴とする（４）乃至（７）のいずれかに記載の光記録再生方法。
【００２２】
（１１）前記加熱用レーザ光の加熱領域を、前記照射領域の内側で、且つ、これよりも小さな面積となるようにしたことを特徴とする（４）乃至（１０）のいずれかに記載の光記録再生方法。
【００２３】
（１２）再生波長のレーザ光による解像限界よりも小さいサイズの記録マークが形成されている光記録媒体での、前記解像限界よりも大きい記録マークの識別に必要な通常の再生パワーで、且つ、再生波長のレーザ光を照射し、且つ、その反射光を受光する再生用受光センサを含む再生光学系と、前記光記録媒体における前記再生波長のレーザ光による照射領域の一部又は全部と重複する加熱領域を、前記再生波長のレーザ光による照射タイミングに関連するタイミングで加熱する加熱系と、を有することを特徴とする光記録再生システム。
【００２４】
（１３）前記加熱系は、前記再生波長と異なる波長の加熱用レーザ光を、前記照射領域に導く加熱光学系であり、この加熱光学系は、前記光記録媒体に対して、前記再生光学系と同一側及び反対側の少なくとも一方から加熱用レーザ光を照射するように構成されたことを特徴とする（１２）に記載の光記録再生システム。
【００２５】
（１４）前記加熱光学系は、前記再生光学系の少なくとも一部を共用する構成であることを特徴とする（１３）に記載の光記録再生システム。
【００２６】
（１５）前記再生波長のレーザ光及び加熱用レーザ光を出射する単一のレーザ光源を設け、前記受光センサは、前記再生波長のレーザ光の反射光のみを受光するようにされたことを特徴とする（１４）に記載の光記録再生システム。
【００２７】
（１６）前記加熱系は、前記再生波長と同一及び異なる波長の少なくとも一方の加熱用レーザ光を、前記光記録媒体に対して、前記再生光学系と反対側から照射して、前記照射領域を加熱する加熱光学系であることを特徴とする（１２）に記載の光記録再生システム。
【００２８】
（１７）前記加熱系は、前記再生波長と同一波長の加熱用レーザ光を前記照射領域に照射する加熱光学系であり、この加熱光学系は、前記光記録媒体に対して、前記再生光学系と同一側から加熱用レーザ光を照射し、且つ、前記光記録媒体での反射光の光学が、前記再生用受光センサの入射光軸からずれるように設定されていることを特徴とする（１２）に記載の光記録再生システム。
【００２９】
（１８）前記加熱光学系は、前記再生光学系に接続され、前記再生波長のレーザ光の一部を分岐して、前記加熱用レーザ光とする分岐光学系から構成されていることを特徴とする（１７）に記載の光記録再生システム。
【００３０】
（１９）前記加熱用レーザ光の波長は、前記再生波長よりも短くされたことを特徴とする（１３）乃至（１６）のいずれかに記載の光記録再生システム。
【００３１】
（２０）前記加熱光学系は、その加熱領域が、前記照射領域の内側で、且つ、これよりも小さくなるように構成されたことを特徴とする（１３）乃至（１９）のいずれかに記載の光記録再生システム。
【発明の効果】
【００３２】
本発明は、再生用レーザ光の照射パワーを増大させることなく、即ち、照射パワー増大によるノイズの増大を伴うことなく、超解像記録マークを識別することができ、これによって再生信号品質を向上させることができるという効果を有する。
【発明を実施するための最良の形態】
【００３３】
最良の形態の光記録再生方法は、再生波長のレーザ光の照射パワーを、このレーザ光による解像限界又はこれよりも大きいサイズの記録マークの識別可能程度に設定すると共に、光記録媒体における、再生波長のレーザ光による照射領域の内側の加熱領域を、前記再生波長と異なる波長の加熱用レーザ光で、再生光学系と同じ側から照射して、前記加熱領域を加熱する。
【実施例１】
【００３４】
以下、図１を参照して、本発明の実施例１に係る光記録再生システム１０について説明する。
【００３５】
この光記録再生システム１０は、再生波長のレーザ光による解像限界よりも小さいサイズの記録マークが形成されている光記録媒体１２と、この光記録媒体１２での、前記解像限界よりも大きい記録マークの識別に必要な通常の再生パワーで、且つ、再生波長のレーザ光を照射し、且つその反射光を受光する再生用受光センサ１４を含む再生光学系１６と、前記再生波長と異なる波長の加熱用レーザ光を、前記光記録媒体１２における前記再生波長のレーザ光による照射領域１８（図２参照）の内側であって、該照射領域１８よりも小さい面積の加熱領域２０に導く加熱光学系２２と、を有して構成されている。
【００３６】
前記加熱光学系２２は、前記光記録媒体１２に対して、前記再生光学系１６と同一側から、前記再生波長のレーザ光による照射タイミングと同時に加熱用レーザ光を照射するように構成されている。
【００３７】
前記再生光学系１６は、再生波長のレーザ光を出射する再生用レーザダイオード２４と、この再生用レーザダイオード２４から出射された再生波長のレーザ光を平行光とするコリメートレンズ２６と、このコリメートレンズ２６からの平行レーザビームにおける、振動面が互いに直交する２つの直線偏光の一方あるいは左旋又は右旋円偏光の一方を反射する偏光ビームスプリッタ２８と、この偏光ビームスプリッタ２８において反射された偏光レーザビームの位相をπ／２だけシフトするλ／４板３０と、このλ／４板３０を通った偏光レーザビームのビーム形状を円形とするビーム整形プリズム３２と、このビーム整形プリズム３２においてビーム形状が円形とされた偏光レーザビームを前記光記録媒体１２の、図１において裏面における記録層（図示省略）に所定の大きさのビームスポットとして集光させる対物レンズ３４と、ホログラム３６と、集光レンズ３８と、前記再生用受光センサ１４と、を備えて構成されている。
【００３８】
前記ホログラム３６は、前記偏光レーザビームが対物レンズ３４を通って光記録媒体１２に照射された反射光が、前記ビーム整形プリズム３２、λ／４板３０、を前記とは逆方向に戻り、且つ、偏光ビームスプリッタ２８の反射面を透過したとき、その反射光を再生用とトラッキング用の２つの光ビームとするものであり、集光レンズ３８は、ホログラム３６によって形成された２つの光ビームを前記再生用受光センサ１４に集光するようにされている。
【００３９】
前記加熱光学系２２は、加熱用レーザ光を出射する加熱用レーザダイオード４０と、この加熱用レーザダイオード４０から出射されたレーザ光を平行光とするコリメートレンズ４２と、このコリメートレンズ４２によって平行光とされた加熱用レーザ光を、前記ビーム整形プリズム３２を介して前記対物レンズ３４の中心光軸と一致するように反射するためのミラー４４と、を備えて構成されている。
【００４０】
なお、図には示されていないが、前記加熱光学系２２には、加熱用レーザダイオード４０からの加熱用レーザ光の、光記録媒体１２で反射された成分が、加熱用レーザダイオード４０に戻ってこれを損傷させないようにするために、加熱用レーザダイオード４０から光記録媒体１２への光路（往路）でのレーザ光の偏光方向が戻りの光路（復路）でのレーザ光の偏光方向に対して直線偏光の場合は直交し、あるいは円偏光の場合は、逆旋回方向となるように、例えば、偏光板とλ／４板との組合せの光学素子を配置するとよい。
【００４１】
前記再生用レーザダイオード２４は、再生波長λ＝６３５ｎｍ（赤）のレーザ光を出射し、又、再生光学系１６における対物レンズ３４は開口数ＮＡ＝０．６０とされている。一方、前記加熱用レーザダイオード４０は、波長λｈ＝４０５ｎｍのレーザ光（ブルー）を出射するようにされている。
【００４２】
又、前記加熱光学系２２は、図２に示されるように、加熱領域２０が、照射領域１８の中心であって、且つ照射領域１８よりも小径の円形となるように設定されている。図２において、符号１９は超解像記録マークを示す。この超解像記録マーク１９の長さＭＬは、ＭＬ＜λ（６３５ｎｍ）／ＮＡ（ＮＡ＝０．６０）／４とされ、再生波長のレーザ光による解像限界よりも小さくされている。
【００４３】
なお、前記再生用受光センサ１４は、再生波長のレーザ光に感度を有し、加熱用レーザ光の波長には無感となるようにされている。これは、再生用受光センサ１４の受光特性を選択したり、あるいは再生用受光センサ１４の光入射側に、再生波長のレーザ光のみを透過するか、あるいは加熱用レーザ光を反射又は吸収するフィルタを設けるようにする。
【００４４】
上記光記録再生システム１０において、再生用レーザダイオード２４からは、再生波長のレーザ光が出射され、再生光学系１６を介して光記録媒体１２の照射領域１８を照射し、前記加熱用レーザダイオード４０からの加熱用レーザ光も、コリメートレンズ４２、ミラー４４、ビーム整形プリズム３２及び対物レンズ３４を経て前記照射領域１８の内側の、これよりも小面積の加熱領域２０を照射する。
【００４５】
再生波長のレーザ光は、前記光記録媒体１２の照射領域１８で反射され、対物レンズ３４、ビーム整形プリズム３２、λ／４板３０、偏光ビームスプリッタ２８、ホログラム３６を経て再生用受光センサ１４により受光される。
【００４６】
他方、前記加熱領域２０に照射された加熱用レーザ光によって、加熱領域２０の記録層は加熱されて、その温度が上昇する。これによって、前記再生波長の再生用レーザ光の解像限界よりも小さい記録マークも、再生波長のレーザ光によって識別することができるようになる。
【００４７】
前記加熱用レーザ光の、照射領域１８における反射光も再生用受光センサ１４に到達するが、この再生用受光センサ１４は、前述のように、加熱用レーザ光の波長に対して不感あるいはフィルタによって再生用受光センサ１４に検出されないので、加熱用レーザ光による誤信号が発生することはない。
【００４８】
又、解像限界よりも小さい超解像記録マークの検出のために、再生波長のレーザ光の照射パワーを大幅に増大することがなく、通常の、解像限界又はこれよりも大きいサイズの記録マークの識別可能程度に設定しておけば良い。
【実施例２】
【００４９】
次に、図３を参照して、本発明の実施例２に係る光記録再生システム５０について説明する。
【００５０】
この光記録再生システム５０は、前記加熱用レーザ光による加熱領域２０の照射タイミングを、再生波長のレーザ光による照射領域１８の照射タイミングよりも僅かに早くして、予め照射領域１８を加熱した後に、再生波長のレーザ光によって照射領域１８を照射するようにしたものである。
【００５１】
この実施例２に係る光記録再生システム５０の構成は、図１に示される実施例１の光記録再生システム１０に対して僅かに構成が異なる加熱光学系５２を設けたものであり、他の構成は同一であるので、図１の構成と同一符号を付する。
【００５２】
この加熱光学系５２は、前記加熱光学系２２におけると同一構成の加熱用レーザダイオード４０と、コリメートレンズ４２と、ミラー５４とを備えて構成されたものであり、ミラー５４は、実施例１の光記録再生システム１０におけるミラー４４よりも、光記録媒体１２の回転方向と反対側に僅かにずらした位置に設定されている。
【００５３】
このずれ量と、光記録媒体１２における照射領域１８近傍の回転速度とによって、図４（Ａ）に示される加熱用レーザ光の照射タイミングと、図４（Ｂ）に示されるように、加熱領域２０に重なる照射領域１８への再生波長のレーザ光の照射タイミングとのずれが決定される。このタイミングのずれ量は、加熱用レーザ光の照射による照射領域１８の温度上昇が一定以上に維持される間に再生波長のレーザ光を照射できるように設定する。
【００５４】
この実施例２の光記録再生システム５０では、再生波長のレーザ光の、対物レンズ３４を通る中心光軸に対して加熱用レーザ光の中心光軸がずれているので、光記録媒体１２での、加熱用レーザ光の反射光は再生波長のレーザ光に対して当然ずれを有する。
【００５５】
従って、このずれの結果、加熱用レーザ光の反射光が、前記再生用受光センサ１４に入射しないように設定しておけばよい。
【００５６】
なお、このずれ量を大きくできれば、加熱用レーザ光の反射光を、再生光学系１６から逸らすことができ、この場合は、加熱用レーザ光の波長は、再生用レーザ光の波長と同一であってもよい。
【実施例３】
【００５７】
次に、図５を参照して本発明の実施例３に係る光記録再生システム６０（全体図示省略）について説明する。
【００５８】
この光記録再生システム６０は、加熱用レーザ光の、対物レンズ３４への入射光軸を、再生波長のレーザ光の入射光軸に対して角度θを設け、この角度θを、反射光が再生光学系１６に入射しないようにしたものである。
【００５９】
この加熱光学系６２は、加熱用レーザダイオード６４と、コリメートレンズ６６と、ミラー６８とを備えて構成されていて、ミラー６８において反射された加熱用レーザ光が、対物レンズ３４に、前記再生波長のレーザ光に対して角度θを持って斜めに入射するように配置され、且つ、この加熱用レーザ光のビーム径及び入射角度θは、光記録媒体１２における前記照射領域１８の内側であって、且つこれよりも小面積の加熱領域２０を形成するようにされている。
【００６０】
この実施例３の場合、加熱用レーザダイオード６４から出射された加熱用レーザ光は、光記録媒体１２の加熱領域２０において、再生波長のレーザ光の反射光とは異なる方向に反射されるので、これが、再生用受光センサ１４に入射することがない。従って、加熱用レーザ光の波長は、再生波長と同一波長であってもよい。
【実施例４】
【００６１】
次に、図６を参照して本発明の実施例４に係る光記録再生システム７０について説明する。
【００６２】
この光記録再生システム７０は、光記録媒体１２への加熱用レーザ光の照射が、再生光学系１６による再生波長のレーザ光の照射方向と反対側からなされるようにしたものである。即ち、光記録媒体１２の、図５においては下側から再生光学系１６による再生波長のレーザ光を照射し、上側から、加熱光学系７２により、加熱用レーザ光を照射するようにしたものである。
【００６３】
図６において符号７２はこの光記録再生システム７０における加熱光学系を示す。この加熱光学系７２は、加熱用レーザダイオード７４と、コリメートレンズ７６と、ミラー７８と、対物レンズ７９とを備えて構成されている。
【００６４】
この光記録再生システム７０において、再生波長のレーザ光のビーム径と、加熱用レーザ光のビーム径とが同一である場合に、対物レンズ７９の開口数（ＮＡ）は、再生光学系１６における対物レンズ３４のＮＡよりも大きく設定し、且つ、加熱用レーザダイオード７４は、実施例１における加熱用レーザダイオード４０と同様のブルーのレーザ光を出射するものであるとき、その集光スポット、即ち加熱領域２０は、再生光学系１６による照射領域１８よりも小さくすることができる。
【実施例５】
【００６５】
次に、図７に示される実施例５に係る光記録再生システム８０について説明する。
【００６６】
この光記録再生システム８０は、実施例２の場合と同様に、加熱光学系８２により光記録媒体１２を加熱した後、再生光学系１６により加熱領域２０を含む照射領域１８を、再生波長のレーザ光で照射するようにしたものである。又、この光記録再生システム８０は、光記録再生システム７０と同様に、光記録媒体１２の、図１において下側から再生光学系１６により再生波長のレーザ光で照射し、上側から、加熱光学系８２により加熱用レーザ光を照射するものである。
【００６７】
なお、図６、図７の実施例４、５に係る光記録再生システム７０及び８０において、加熱光学系７２、８２から照射する加熱用レーザ光の波長は、再生光学系１６における再生波長と同一としてもよい。
【００６８】
また、前記実施例において加熱光学系は、前記光記録媒体に対して、再生波長のレーザ光による照射タイミングと同時に又はわずかに早く加熱用レーザ光を照射するように構成されているが、加熱用レーザ光の照射タイミングは、前記再生波長のレーザ光による記録マークの形成に際して加熱領域を加熱できればよい。即ち、再生波長のレーザ光による照射タイミングに関連したタイミングで加熱用レーザ光を照射すればよく、従って、再生波長のレーザ光による照射タイミングよりもわずかに遅い場合も含まれる。
【００６９】
［例１］
図６に示される実施例４と同様の構成の光記録再生システムにより、再生波長のレーザ光の照射パワー及び加熱用レーザ光の照射パワーを変化させて、超解像記録マークを再生した際のＣＮＲを測定した結果を、図８に示す。
【００７０】
ここで、前記超解像記録マークの長さＭＬは２００ｎｍとし、再生波長のレーザ光は、λ＝６３５ｎｍ（赤）再生光学系のＮＡ＝０．６０とし、これに対して、加熱光学系における加熱用レーザ光の波長λ＝４０５ｎｍ（ブルー）、加熱光学系のＮＡ＝０．６５とし、前記ＭＬ＝２００ｎｍが、再生波長６３５ｎｍの光にとっては、超解像記録マークとなるように設定した。
【００７１】
図８において、実線は、再生波長のレーザ光の照射パワーを変化させ、且つ加熱用レーザ光の照射パワーを零とした場合を示し、又、一点鎖線は、再生波長のレーザ光の照射パワーを２．０ｍＷ、加熱用レーザ光の照射パワーを零から４ｍＷの間で変化させた場合を示す。
【００７２】
この図８からは、再生波長のレーザ光の照射パワーを大きくすることなく、加熱用レーザ光の照射パワーを大きくすることによって、ＣＮＲを増大できることが分かる。
【００７３】
［例２］
例２では、超解像記録マークの大きさ、再生光学系及び加熱光学系の条件を例１と同一にし、且つ加熱用レーザ光の照射パワーを０ｍＷ、１ｍＷ及び３ｍＷとし、且つ、再生波長のレーザ光を１ｍＷから３ｍＷの間で変化させたときのＣＮＲを、加熱用レーザ光の照射パワーが０ｍＷの場合を実線、１ｍＷの場合を一点鎖線、３ｍＷの場合を二点鎖線でそれぞれ示したものである。
【００７４】
この図９からは、加熱用レーザ光の照射パワーを大きくすると、再生波長のレーザ光の照射パワーが小さくても超解像記録マークを識別できることが分かる。
【００７５】
なお、上記実施例において、再生波長のレーザ光及び加熱用レーザ光は、異なるレーザダイオードから出射されるものであるが、本発明はこれに限定されるものでなく、一定帯域幅の波長のレーザ光を出射する同一のレーザ光源から再生波長のレーザ光及び加熱用レーザ光を得るようにしてもよい。この場合、前記一定帯域幅のうち、短波長側を加熱用レーザ光、長波長側を再生波長のレーザ光とするとよい。
【００７６】
更に、前記加熱用レーザ光の加熱領域は、再生波長のレーザ光による照射領域の内側で、且つこれよりも小さな面積となるようにしているが、本発明はこれに限定されるものでなく、両者は同一の面積で重複するようにしてもよく、あるいは、一部が重複するようにしてもよい。
【図面の簡単な説明】
【００７７】
【図１】本発明の実施例１に係る光記録再生システムの概略を示す斜視図
【図２】同光記録再生システムにおける光記録媒体上の照射領域と加熱領域との関係を模式的に示す拡大平面図
【図３】本発明の実施例２に係る光記録再生システムの概略を示す斜視図
【図４】同実施例２の光記録再生システムにおける照射領域と加熱領域との関係を示す略示側面図
【図５】本発明の実施例３に係る光記録再生システムの要部を示す光学系統図
【図６】本発明の実施例４に係る光記録再生システムの要部を示す光学系統図
【図７】本発明の実施例５に係る光記録再生システムの要部を示す光学系統図
【図８】実施例３と同様の光記録再生システムにおける超解像記録マークの再生時におけるＣＮＲと再生波長のレーザ光及び加熱用レーザ光の照射パワーとの関係を示す線図
【図９】実施例４と同様の光記録再生システムにおいて超解像記録マークを再生した場合の、再生波長のレーザ光の照射パワーとＣＮＲとの関係を示す線図
【符号の説明】
【００７８】
１０、５０、６０、７０、８０…光記録再生システム
１２…光記録媒体
１４…再生用受光センサ
１６…再生光学系
１８…照射領域
２０…加熱領域
２２、５２、６２、７２、８２…加熱光学系
２４…再生用レーザダイオード
３４、７９…対物レンズ
４０、６４、７４…加熱用レーザダイオード
【図１】
2006260657.tif 000003
【図２】
2006260657.tif 000004
【図３】
2006260657.tif 000005
【図４】
2006260657.tif 000006
【図５】
2006260657.tif 000007
【図６】
2006260657.tif 000008
【図７】
2006260657.tif 000009
【図８】
2006260657.tif 000010
【図９】
2006260657.tif 000011